(57)【要約】【課題】画面の辺縁部の色ずれを適切に補正する。【解決手段】撮像装置により撮像される画像に生じる色ずれを補正する色ずれ補正装置で、色ずれ検出手段９が前記画像について色ずれを検出し、基準補正量検出手段１１が前記画像をＬ（Ｌは２以上の値）個のエリアに分割した各エリアについて色ずれの検出結果に基づいて色ずれに対する基準となる補正量である基準補正量を検出し、外側補正量設定手段１２が前記Ｌ個のエリアの周囲に想定されるエリアである外側付加エリアに基準補正量として所定の値を設定し、画素毎補正量検出手段１２が基準補正量に基づいて内挿法による直線近似を実行して前記画像の画素について色ずれに対する画素毎の補正量を検出する。【選択図】  図１
2011239028.tif 000002
【特許請求の範囲】
【請求項１】
撮像装置により撮像される画像に生じる色ずれを補正する色ずれ補正装置において、
前記画像について色ずれを検出する色ずれ検出手段と、
前記画像をＬ（Ｌは２以上の値）個のエリアに分割した各エリアについて、前記色ずれ検出手段による検出結果に基づいて、色ずれに対する基準となる補正量である基準補正量を検出する基準補正量検出手段と、
前記Ｌ個のエリアの周囲に想定されるエリアである外側付加エリアに、色ずれに対する基準となる補正量である基準補正量として所定の値を設定する外側補正量設定手段と、
前記基準補正量検出手段により検出された基準補正量及び前記外側補正量設定手段により設定された基準補正量に基づいて、内挿法による直線近似を実行して、前記画像の画素について色ずれに対する画素毎の補正量を検出する画素毎補正量検出手段と、
を備えたことを特徴とする色ずれ補正装置。
【請求項２】
請求項１に記載の色ずれ補正装置において、
前記外側補正量設定手段は、前記外側付加エリアに前記基準補正量として所定の値を設定する場合に、当該所定の値として、前記分割した各エリアの内、対象となる外側付加エリアに隣接するエリアの基準補正量と同一の値を設定する、
ことを特徴とする色ずれ補正装置。
【請求項３】
請求項１に記載の色ずれ補正装置において、
前記外側補正量設定手段は、前記外側付加エリアに前記基準補正量として所定の値を設定する場合に、当該所定の値として、前記分割した各エリアであって、対象となる外側付加エリアに隣接する１個のエリアと、当該対象となる外側付加エリアと当該隣接するエリアとを結ぶ直線上にある１個以上のエリアの、夫々の基準補正量に基づく外挿によって設定する、
ことを特徴とする色ずれ補正装置。
【発明の詳細な説明】
【技術分野】
【０００１】
本発明は、色収差やレジストレーションのずれ（レジずれ）による色ずれを補正する色ずれ補正装置に関し、特に、画面の辺縁部の色ずれを適切に補正する色ずれ補正装置に関する。
【背景技術】
【０００２】
一般に、テレビカメラ等のレンズでは、色収差と呼ばれる画像歪みが生じる。色収差を補正する処理の一例として、映像（画像）の画面を複数であるＬ＝Ｍ×Ｎ（Ｍ、Ｎはそれぞれ２以上の値）個のエリアに分割して、各エリアの中心におけるレンズの倍率色収差量（以降、単に、「色収差量」と略して言う。）の測定を行い、当該エリアでの補正量（基準補正量）を求め、その基準補正量を用いて画面全体の色収差を補正する処理が知られている（例えば、特許文献１〜８参照。）。
【０００３】
図４には、従来の色収差補正方法を適用した撮像装置の構成例（ブロック構成例）を示してある。
本例の撮像装置は、交換式レンズ１０１、分光プリズム１０２、ＲＧＢのうちのＲに対応した撮像素子（Ｒ）１０３、ＲＧＢのうちのＧに対応した撮像素子（Ｇ）１０４、ＲＧＢのうちのＢに対応した撮像素子（Ｂ）１０５、Ｒに対応したフレームメモリ１０６、Ｇに対応したフレームメモリ１０７、Ｂに対応したフレームメモリ１０８、色収差検出回路１０９を備えている。
【０００４】
本例の撮像装置では、交換式レンズ１０１から入射して分光プリズム１０２で色成分毎に分けられてそれぞれの撮像素子（撮像素子（Ｒ）１０３、撮像素子（Ｇ）１０４、撮像素子（Ｂ）１０５）の撮像面に結像した光学像が、電気的な映像信号へ変換されて、それぞれのフレームメモリ（フレームメモリ１０６、フレームメモリ１０７、フレームメモリ１０８）に格納される。色収差検出回路１０９は、例えば、基準位置を通る直線上において、Ｒ、Ｇ、Ｂチャネル間でのずれ、すなわち色収差量を像高（光軸からの距離）毎に検出する。
【０００５】
図５には、映像の画面をＬ＝Ｍ×Ｎ個のエリアに分割して、各エリアの中央における補正量（補正値）をそのエリアの基準補正量（基準補正値）として設定した様子の一例を示してある。
本例では、水平方向（横方向）の行数を示すＭ＝１６、垂直方向（縦方向）の列数を示すＮ＝９、Ｌ＝Ｍ×Ｎ＝１４４である。
ｉ行ｊ列（ｉ＝１、２、・・・、Ｍ及びｊ＝１、２、・・・、Ｎ）の基準補正量をＸｒ（ｉ，ｊ）と示している。
【０００６】
図６には、図５に示される映像の左上隅の４エリアに基準補正量を設定した様子の一例を示してある。
ここでは、基準補正量のＸ成分のみに注目して説明し、１行１列のエリアに基準補正量０を設定し、１行２列のエリアに基準補正量０を設定し、２行１列のエリアに基準補正量０を設定し、２行２列のエリアに基準補正量＋３．５を設定したとする。
【０００７】
図７には、図６に示される基準補正量を用いて直線近似を行った様子の一例を示してある。
本例では、直線近似（内挿法）のエリアにおいては、まず、あるエリア（例えば２行１列）の基準補正量０と、そのエリアに縦に隣接するエリア（例えば２行２列）の基準補正量＋３．５とを用いて、縦方向に直線近似され、その間の画素に対する補正量は、例えば、各々、＋０．５、＋１．０、＋１．５、・・・、＋３．０となる。また、他の縦方向についても同様である。
次に、縦方向の並びで得られた補正量を横方向に直線近似（内挿法）すれば、残りの画素に対する補正量も得られる。（いわゆる、バイリニア補間である。）
内挿補間で得られたこれらの補正量の符号は、自己のエリア（又は、補間相手のエリア）の基準補正量の符号（本例では、プラスの符号）と一致する。
【先行技術文献】
【特許文献】
【０００８】
【特許文献１】特開２００４−２８７７９４号公報
【特許文献２】特開２００９−２９０８６３号公報
【特許文献３】特開２００９−１７０９７０号公報
【特許文献４】特開２００４−１５３３２３号公報
【特許文献５】特開平０８−２０５１８１号公報
【特許文献６】特開２００６−１３５８０５号公報
【特許文献７】特開２００８−５３５２号公報
【特許文献８】特開平０６−２１３７６５号公報
【発明の概要】
【発明が解決しようとする課題】
【０００９】
しかしながら、上記のような基準補正量の補間方法では、内挿法で補間できない画面の辺縁領域に対して単に外挿法を適用すると、同じエリア内であるのに補正量の符号が一致せず補正方向が反対となって、違和感のある画像になってしまうことがあるといった問題があった。
【００１０】
具体的には、図７に示される直線近似（外挿法）のエリアにおいては、各画素に対する補正量は、あるエリア（例えば２行１列）の基準補正量０と、その隣接するエリア（例えば２行２列）の基準補正値＋３．５を用いて直線近似され、例えば、各々、−１．５、−１．０、−０．５となり、これらの補正量の符号は、自己のエリアの基準補正量の符号（本例では、プラスの符号）と異なってしまう。
このため、エリア（１行１列）については、右上端（画像の角側）まで補正量を０としたいのに、直線近似（外挿法）によって、誤った値にされてしまう。
【００１１】
本発明は、このような従来の事情に鑑み為されたもので、画面の辺縁部の色ずれを適切に補正することができる色ずれ補正装置を提供することを目的とする。
【課題を解決するための手段】
【００１２】
上記目的を達成するため、本発明では、撮像装置により撮像される画像に生じる色ずれを補正する色ずれ補正装置において、次のような構成とした。
すなわち、色ずれ検出手段が、前記画像について色ずれを検出する。基準補正量検出手段が、前記画像をＬ（Ｌは２以上の値）個のエリアに分割した各エリアについて、前記色ずれ検出手段による検出結果に基づいて、色ずれに対する基準となる補正量である基準補正量を検出する。外側補正量設定手段が、前記Ｌ個のエリアの周囲に想定されるエリアである外側付加エリアに、色ずれに対する基準となる補正量である基準補正量として所定の値を設定する。画素毎補正量検出手段が、前記基準補正量検出手段により検出された基準補正量及び前記外側補正量設定手段により設定された基準補正量に基づいて、内挿法による直線近似を実行して、前記画像の画素について色ずれに対する画素毎の補正量を検出する。
従って、従来のような直線近似（外挿法）を用いる必要を無くすことができ、画面の辺縁部の色ずれを適切に補正することができる。
【００１３】
一構成例として、本発明に係る色ずれ補正装置では、次のような構成とした。
すなわち、前記外側補正量設定手段は、前記外側付加エリアに前記基準補正量として所定の値を設定する場合に、当該所定の値として、前記分割した各エリアの内、対象となる外側付加エリアに隣接するエリアの基準補正量と同一の値を設定する。
このような基準補正値の設定手法は、所定の状況（例えば、実施例２で示される状況）において有用である。
【００１４】
他の一構成例として、本発明に係る色ずれ補正装置では、次のような構成とした。
すなわち、前記外側補正量設定手段は、前記外側付加エリアに前記基準補正量として所定の値を設定する場合に、当該所定の値として、前記分割した各エリアであって、対象となる外側付加エリアに隣接する１個のエリアと、当該対象となる外側付加エリアと当該隣接するエリアとを結ぶ直線上にある１個以上のエリアの、夫々の基準補正量に基づく外挿によって設定する。
従って、このような外挿により、外側付加エリアの基準補正量を設定することも可能である。
【００１５】
なお、上記した各手段と図１に示される処理部との対応の例を示しておく。
一例として、色ずれ検出部９の機能により色ずれ検出手段が構成され、基準補正量算出部１１の機能により基準補正量検出手段が構成され、画素毎補正量算出部１２の機能或いは基準補正量算出部１１の機能により外側補正量設定手段が構成され、画素毎補正量算出部１２の機能により画素毎補正量検出手段が構成されている。
【発明の効果】
【００１６】
以上説明したように、本発明に係る色ずれ補正装置によると、画面の辺縁部の色ずれを適切に補正することができる。
【図面の簡単な説明】
【００１７】
【図１】本発明の実施例１〜実施例３に係る撮像装置の構成例を示す図である。
【図２】本発明の実施例１に係る外側付加エリアを用いた直線近似を説明するための図である。
【図３】本発明の実施例２に係る外側付加エリアを用いた直線近似を説明するための図である。
【図４】従来の撮像装置の構成例を示す図である。
【図５】映像の画面をＭ×Ｎ分割した各エリアに基準補正量を設定した様子の一例を示す図である。
【図６】映像の左上隅の４エリアに基準補正量を設定した様子の一例を示す図である。
【図７】基準補正量を用いて直線近似を行った様子の一例を示す図である。
【図８】実施例１では望ましくない基準補正量の設定例を説明するための図である。
【図９】本発明の実施例３に係る外側付加エリアの基準補正量の推定例を説明するための図である。
【発明を実施するための形態】
【００１８】
本発明に係る実施例を図面を参照して説明する。
以下、本発明に係る色ずれ補正装置を、撮像装置に関する実施例を通じて説明する。
【実施例１】
【００１９】
図１には、実施例１に係る撮像装置の構成例（ブロック構成例）を示してある。
本例の撮像装置は、交換式レンズ１、分光プリズム２、ＲＧＢのうちのＲに対応した撮像素子（Ｒ）３、ＲＧＢのうちのＧに対応した撮像素子（Ｇ）４、ＲＧＢのうちのＢに対応した撮像素子（Ｂ）５、Ｒに対応したフレームメモリ６、Ｇに対応したフレームメモリ７、Ｂに対応したフレームメモリ８、色ずれ検出部９、色ずれ補正部１０、基準補正量算出部１１、画素毎補正量算出部１２、制御部１３を備えている。
また、色ずれ補正部１０には、ＲとＢのそれぞれのチャネルについて、水平シフト回路５１、６１、第１メモリ５２、６２、垂直シフト回路５３、６３、第２メモリ５４、６４を備えている。なお、Ｇについても同様な回路が備えられてもよい。
【００２０】
本例の撮像装置において行われる動作の例を示す。
交換式レンズ１から入射した光が分光プリズム２で色成分毎に分けられて、撮像素子（Ｒ）３、撮像素子（Ｇ）４、撮像素子（Ｂ）５のそれぞれの撮像面に結像した光学像が、それぞれ、電気的な映像信号へ変換されて、フレームメモリ６、フレームメモリ７、フレームメモリ８のそれぞれに格納される。
【００２１】
色ずれ検出部９は、フレームメモリ６〜８から映像信号を読み出して、例えば、基準位置（本例では、画面の中心。望ましくは倍率色収差のゼロ点）を通る直線上（水平線と垂直線）において、Ｒ、Ｇ、Ｂチャネル間でのずれ、すなわち色ずれ量を像高（光軸からの距離）毎に検出する。
色ずれ補正部１０は、Ｒ、Ｂチャネル（場合によってはＧチャネルも）において別個に、画素毎に変化する画素毎補正量を用いて色ずれ補正を実行する。
【００２２】
基準補正量算出部１１は、色ずれ検出部９による検出結果に基づいて、映像（画像）の画面を複数であるＬ＝Ｍ×Ｎ（Ｍ、Ｎはそれぞれ２以上の整数）個に等分割したエリア毎に基準となる補正量（補正値）である基準補正量（基準補正値）を算出し、保持する。なお、後述するように、本例では、有効画面の外周に仮想的なエリア（外側付加エリア）が付加されるが、公知手法で得られる基準補正量を容易に利用できるように、本例の基準補正量算出部１１が算出するのは、有効画面内のみとする。
また、各エリアの基準補正量としては、種々な手法で算出されてもよく、例えば、公知手法を用いることができる。
また、画面の分割数Ｌや、各方向の分割数Ｍ、Ｎとしては、例えば、予め所定の値が設定されている。
【００２３】
画素毎補正量算出部１２は、基準補正量算出部１１が算出した基準補正量から、各エリア内の画素毎に、当該画素を移動すべき量（画素毎補正量）を求め、色ずれ補正部１０での処理タイミングに合わせて色ずれ補正部１０へ出力する。
制御部１３は、交換式レンズ１のズーム、フォーカス、アイリスのいずれかのポジションを動かした（動かされた）ことを検出すると、色ずれ検出部９に検出動作を指示する。
【００２４】
ここで、色ずれ補正部１０の内部では、次のような動作が行われる。
各水平シフト回路５１、６１は、対応する各チャネルの映像素子３、５からの映像信号について、画素毎補正量算出部１２から与えられる画素毎補正量Ｘ（Ｈ，Ｖ）の水平成分に応じた画素移動を１／２ｎ画素の分解能（精度）で行う（ｎは１以上の整数）。各第１メモリ５２、６２は、各水平シフト回路５１、６１からの出力信号について、画素の走査方向を水平から垂直に変換するためのフレームメモリである。各垂直シフト回路５３、６３は、各水平シフト回路５１、６１と同等の構成の回路であり、各第１メモリ５２、６２からの出力信号について、画素毎補正量算出部１２から与えられる画素毎補正量Ｘ（Ｈ，Ｖ）の垂直成分に応じた画素移動を行う。各第２メモリ５４、６４は、各垂直シフト回路５３、６３からの出力信号について、画素の走査方向を垂直から水平に戻すためのフレームメモリである。
【００２５】
以下で、更に具体的に説明する。
本例では、図５に示されるのと同様に、映像として出力される有効領域を水平方向の分割数Ｍ＝１６、垂直方向の分割数Ｎ＝９で分割したエリアの各々に、基準補正量が与えられる。
そして、画面（有効画面）の左上端を始点とする画面の水平方向（右向き）及び垂直方向（下向き）のインデックスをそれぞれｉ、ｊ（いずれも自然数）とすると、水平方向ｉ番目（ｉ行目）、垂直方向ｊ番目（ｊ列目）のエリア（エリア（ｉ，ｊ）と表記する）の基準補正量Ｘｒ（ｉ，ｊ）は、色ずれに関する水平成分ＸＸ（ｉ，ｊ）と垂直成分ＸＹ（ｉ，ｊ）とからなるベクトルで表される。
【００２６】
色ずれ検出部９は、図５に示される画面の中央のエリア（８，５）と、エリア（８，５）の左側にあるエリア（１，５）〜エリア（７，５）と、エリア（８，５）の上側にあるエリア（８，１）〜エリア（８，４）の各エリアおいて、その中心を測定ポイントとして色ずれ量を測定する。そして、色ずれ検出部９は、各色ずれ量を、単純に向きを逆にして、測定ポイントの補正量（対応する各エリアの基準補正量）とし、基準補正量算出部１１へ出力する。
【００２７】
なお、ＭやＮが偶数であるような場合には、画面中央のエリアとしては、左右方向や上下方向について、必ずしも正確な中央でなくてもよい。具体例として、Ｍ＝１６である場合には、左右方向の中央を８或いは９とすることができ、また、Ｎ＝１０である場合には、上下方向の中央を５或いは６とすることができる。
【００２８】
基準補正量算出部１１は、まず、色ずれ検出部９から与えられたエリア（１，５）〜エリア（８，５）の補正量（エリアの中心における補正量を示す）から、直線近似により、エリア間の補正量を定義する。すなわち、当初自然数として定義したエリアのインデックスｉ、ｊを実数（小数）まで拡張し、以下のような式によりエリア間を補間する。ここで、中央行Ｍ’、中央列Ｎ’、及び、値が求まっている基準補正量Ｘｒ（ｉ，ｊ）からレジずれ分を差し引いた（ほぼ色収差のみとなる）基準補正量Ｘｒ〜（ｉ，ｊ）を定義しておく。
なお、Ｈは水平アドレスであり、画面全体における画素の水平位置を示すグローバルなアドレスであり、本例では、１つのエリアが４９０個の水平アドレスを有している。
【００２９】
【数１】
2011239028.tif 000003
【００３０】
次に、基準補正量算出部１１は、以下のようにして各エリアの基準補正量Ｘｒ〜（ｉ，ｊ）を導出する。
（１）各エリアの中心と中央エリア（エリア（Ｍ’，Ｎ’））の中心との距離Ａと、上記補間した補正量Ｘｒ〜（ｉ，Ｎ’）において中心からの距離がＡと等しい位置の補正量Ｃ＝Ｘｒ〜（Ａ＋Ｍ’，Ｎ’）を得る。
（２）この補正量Ｃを水平、垂直の要素に分解する。中央エリアの中心を原点とし、原点からエリア（１，Ｎ’）の中心へ向かう半直線を基線としたときに、各エリアの中心と原点との線分と基線とがなす角をθ（基線からエリア（Ｍ’，１）へ回る方向を正にする）とすれば、基準補正量Ｘｒ〜の水平成分ＸＸ〜はＣ＊ｃｏｓθ、垂直成分ＸＹ〜はＣ＊ｓｉｎθで算出できる。
（３）上記を左上の１／４象限にあるエリアについて、算出する。この象限ではｃｏｓθ、ｓｉｎθはともに０以上である。
（４）他の象限については、上記エリアの点対称、若しくは線対称となっているため、それぞれ該当するエリアの補正量を正負逆転するなどして複製する。
（５）色ずれ検出部９から与えられたエリア（８，１）〜エリア（８，４）の補正量（の垂直成分）と、像高が等しいエリア（４，５）〜エリア（７，５）（の水平成分）の補正量を比較することにより、３板方式に特有のプリズムで生じる垂直位置依存の色ずれ量ＸＶを算出できる。この値をそれぞれのエリアの垂直方向の補正量に加算することで、この色ずれも補正が可能である。
これらを式で示すと以下のようになる。
【００３１】
【数２】
2011239028.tif 000004
【００３２】
図２には、映像の左上隅について、画素毎補正量算出部１２による直線近似の様子の一例を示してある。
本例の特徴として、有効画面をＭ×Ｎ分割したエリアに対して、更に外周にエリア（外側付加エリア）を付加する。図２の例では、０行と０列を追加したことにより、新たに規定された０行０列、０行１列、０行２列、１行０列、２行０列のエリアが示されている。
本例では、１行１列のエリアに基準補正量０を設定し、１行２列のエリアに基準補正量０を設定し、２行１列のエリアに基準補正量０を設定し、２行２列のエリアに基準補正量＋３．５を設定し、更に、付加したエリアについてはいずれも基準補正量０を設定する。
【００３３】
そして、基準補正量を内挿法により補間できる領域において、補間を実行する。
この例では、直線近似（内挿法）のエリアは、元々のエリアを全て含むことになり、有効エリアである元々のエリアに対しては、そのエリアの基準補正量と、隣接するエリアの基準補正量を用いて、直線近似して、各画素に対する補正量を求める際、この補正量の符号を、自己のエリア（自エリア）の基準補正量の符号と同一にすることができる。
【００３４】
上述した説明では、付加するエリアを作るために、０行と０列のみを追加しただけだが、（Ｍ＋１）行と（Ｎ＋１）列を追加すれば良いことは明白である。
【００３５】
以上説明したように、本例の色ずれ補正装置及び方法によれば、一旦外周にエリアを付加した以降は、同じ直線近似法で補間することができ、例えば有効画面の縁部分だけ特殊な近似を行う場合に比べてアルゴリズムが単純になり、ＦＰＧＡ（Ｆｉｅｌｄ  Ｐｒｏｇｒａｍｍａｂｌｅ  Ｇａｔｅ  Ａｒｒａｙ）化に適し、或いはソフトウェアによっても高速に処理することができる。
【００３６】
このように、本例では、撮像装置により撮像される映像（画像）に生じる色ずれを補正する色ずれ補正装置において、次のような構成とした。
すなわち、撮像装置は、収差補正モジュールにおいて、映像の画面をＭ×Ｎ分割した際、更に周辺にエリアを付加して、基準補正量を、Ｍ×Ｎ個のエリア（有効エリア）と、周辺に付加したエリア（外側付加エリア）に対して設定する。
本例では、外側付加エリアについては全てに、基準補正量として、予め定められた一定の値（本例では、０）を設定している。なお、他の一定の値が用いられてもよい。
【実施例２】
【００３７】
実施例２では、実施例１と比べて、外側に付加したエリア（外側付加エリア）への基準補正量の設定の仕方を異ならせた例を示す。
まず、実施例１では望ましくない場合を説明する。
図８には、実施例１では望ましくない（失敗時の）基準補正量の設定及び直線近似の一例を示してある。
本例では、１行１列のエリアに基準補正量＋４を設定し、１行２列のエリアに基準補正量＋４を設定し、２行１列のエリアに基準補正量＋４を設定し、２行２列のエリアに基準補正量０を設定し、更に、付加したエリアについてはいずれも基準補正量０を設定する。
【００３８】
このような設定では、図８に示されるように、自己のエリア（例えば１行２列）の基準補正量＋４と、隣接するエリア（例えば２行２列）の基準補正量０の間の直線の傾きはプラスであるが、自己のエリア（例えば１行２列）の基準補正量＋４と、付加したエリア（例えば０行２列）の基準補正量０の間の直線の傾きはマイナスである。
【００３９】
この例では、直線近似（内挿法）して、各画素に対する補正量を求める際、この補正量の符号が、自己のエリアの基準補正量と同一の符号になっているものの、値が減少する方向であり、補正後の画像（図示省略）の画面端において、違和感が残ることが予想される。
このように、既存エリアの基準補正量と、周辺の外側付加エリアの基準補正量の組み合わせによっては、従来の直線近似（外挿法）を用いた方が良かったということもあり得る。
【００４０】
そこで、実施例２を説明する。
図３には、実施例２に係る外側付加エリアを用いた直線近似の例（画素毎補正量算出部１２による直線近似の様子の一例）を示してある。
本例では、図８の例と同様に、１行１列のエリアに基準補正量＋４を設定し、１行２列のエリアに基準補正量＋４を設定し、２行１列のエリアに基準補正量＋４を設定し、２行２列のエリアに基準補正量０を設定する。そして、本例では、更に、付加したエリアについては、付加したエリアに隣接する有効エリアの基準補正量（図３に図示している範囲では全て＋４）を設定する。
【００４１】
このような基準補正量で直線近似をすると、自己のエリア（例えば１行２列）の基準補正量＋４と、付加したエリア（例えば０行２列）の基準補正量＋４の間の直線の傾きは０である。
【００４２】
本例では、画面外基準補正量直線近似（内挿法）により求められる各画素に対する補正量は、自己のエリアの基準補正量と符号が同一であり、値も一定に保たれるため、例えば実施例１の場合と比べて、補正後の画像の画面端において、違和感が抑制される。
【実施例３】
【００４３】
実施例３は、外側付加エリアの基準補正量を、複数の有効エリアの基準補正量から推定する点などで、実施例２と異なる。
図９は、実施例２及び本例に係る外側付加エリアの基準補正量の推定を説明する図である。
（ａ）のグラフは、例えば１行０列〜１行３列のエリアの基準補正量のＸ成分を示すグラフであり、実施例２の方法で外側付加エリアの基準補正量を設定してある。実施例２の方法は、１行１列の値を１行０列にそのまま用いており、補間としては０次である。
（ｂ）のグラフは、（ａ）と同じエリアでの、本実施例３による設定を示すものである。本例では、１行１列と１行２列の２つのエリアの基準補正量を１次補間して、外側付加エリアの基準補正量を求める。すなわち、１行２列、１行１列、１行０列の基準補正量を夫々ａ，ｂ，ｃとすると、ｃ＝２ｂ−ａとなる。この方法は、水平方向及び垂直方向に用いることで、画面４隅（０行０列等）を除く他の外側付加エリアに適用できる。また、３以上の有効エリア基準補正量に基づいて、２次以上の補間（曲線近似）をしてもよい。
【００４４】
なお、画面４隅の外側付加エリア（０行０列等）のように隣接（４隣接）する有効エリアがない場合、複数の隣接する外側付加エリア（例えば０行１列と１行０列）の基準補正量の平均値を用いてもよく、或いは、当該外側付加エリアの対角線上に並ぶ複数の有効エリア（例えば、１行１列、２行２列、…）の基準補正量の外挿を用いてもよい。これらを一般的に表現すれば、対象となる外側付加エリアに対して、４隣接（４隣接がない場合は８隣接）する１つの有効エリア、及びその外側付加エリアと有効エリアとを結ぶ直線上にある１つ以上の有効エリアとを用いて外挿する、と言える。
また、本実施例とは他の構成例として、基準補正量算出部１１が、有効領域のエリアと付加エリアとについて一括に算出してもよい。
【符号の説明】
【００４５】
１、１０１・・交換式レンズ、  ２、１０２・・分光プリズム、  ３、１０３・・撮像素子（Ｒ）、  ４、１０４・・撮像素子（Ｇ）、  ５、１０５・・撮像素子（Ｂ）、  ６、７、８、１０６、１０７、１０８・・フレームメモリ、  ９・・色ずれ検出部、  １０・・色ずれ補正部、  １１・・基準補正量算出部、  １２・・画素毎補正量算出部、  １３・・制御部、  ５１、６１・・水平シフト回路、  ５２、５４、６２、６４・・メモリ、  ５３、６３・・垂直シフト回路、  １０９・・色収差検出回路、
【図１】
2011239028.tif 000005
【図２】
2011239028.tif 000006
【図３】
2011239028.tif 000007
【図４】
2011239028.tif 000008
【図５】
2011239028.tif 000009
【図６】
2011239028.tif 000010
【図７】
2011239028.tif 000011
【図８】
2011239028.tif 000012
【図９】
2011239028.tif 000013